(57)【特許請求の範囲】
【請求項１】
カメラ本体と、
該カメラ本体に外挿される略筒状の部材から成り、カメラ前面に設けられる撮影レンズの前面を覆う閉位置と、該撮影レンズの前面から退避する開位置との間でカメラ横方向にスライド移動可能なスライドカバーとを備え、
前記カメラ本体の背面には、カメラ上下方向の略中央部にスライドカバーの上下方向への移動を規制しスライド方向への移動をガイドする本体側ガイド部材が取り付けられ、該本体側ガイド部材は、前記スライド方向に見たときに、前記カメラ本体の背面に設けられた表示部と重なる背面領域に設けられるとともに、前記スライドカバーの内面には、前記本体側ガイド部材と係合して前記スライドカバーのスライドを案内するカバー側ガイド部材が形成され、
前記カバー側ガイド部材は、前記スライドカバーのストローク量に応じた長さを有し、前記本体側ガイド部材は、前記カバー側ガイド部材よりも短くされるとともに、前記スライドカバーの位置に拘わらず前記スライドカバーにより覆われる位置に配置されることを特徴とするスライドカバーを有するカメラ。
【請求項２】
前記カバー側ガイド部材は、前記スライドカバーの移動方向に延在しカメラの上方向および下方向にそれぞれ突出する上下一対の凸部を有し、前記本体側ガイド部材は、カメラの上方向および下方向にそれぞれ凹で、前記上下一対の凸部にそれぞれ摺動可能に係合される上下一対の凹部を有していることを特徴とする請求項１に記載のスライドカバーを有するカメラ。
【請求項３】
前記カバー側ガイド部材は、前記凸部と、前記スライドカバーとの連結部とが一体成形されて成ることを特徴とする請求項２に記載のスライドカバーを有するカメラ。
【請求項４】
前記本体側およびカバー側ガイド部材は、前記スライドカバーのカメラ本体前面または背面から浮き上がる方向の移動を規制すべく互いに当接する当接部を有していることを特徴とする請求項１〜３のいずれか１項に記載のスライドカバーを有するカメラ。
【請求項５】
前記カバー側ガイド部材は、そのカバースライド方向両端が溶接によって前記スライドカバーに固着されていることを特徴とする請求項１〜４のいずれか１項に記載のスライドカバーを有するカメラ。
【発明の詳細な説明】
【０００１】
【発明の属する技術分野】
本発明は、撮影レンズの前面を覆う位置と撮影レンズの前面から退避する位置との間でスライド移動可能なスライドカバーを有するカメラに関する。
【０００２】
【従来の技術とその問題点】
従来のスライドカバーを有するカメラとして、カメラ本体の上下部分にスライドカバーのストロークに応じた長さのガイド溝を設け、これらの溝にカバー側の上下一対のガイド突起をそれぞれ係合することによりカバーの移動を案内するものがある。しかし、上下の２箇所にガイド機構を設けると、カメラの上下端部の厚さが増し、カメラが大型化するという問題がある。
【０００３】
本発明の目的は、カメラの上下部分の厚さを薄くして小型化および見栄えの向上を図ったスライドカバーを有するカメラを提供することにある。
【０００４】
【課題を解決するための手段】
一実施の形態を示す図４〜図７に対応づけて説明すると、本発明に係るカメラは、カメラ本体１０と、カメラ本体１０に外挿される略筒状の部材から成り、カメラ前面に設けられる撮影レンズの前面を覆う閉位置と、撮影レンズの前面から退避する開位置との間でカメラ横方向にスライド移動可能なスライドカバー２０とを備える。そして、カメラ本体１０の背面には、カメラ上下方向の略中央部にスライドカバー２０の上下方向への移動を規制しスライド方向への移動をガイドする本体側ガイド部材４０が取り付けられ、本体側ガイド部材は、スライド方向に見たときに、カメラ本体の背面に設けられた表示部と重なる背面領域に設けられるとともに、スライドカバー２０の内面には、本体側ガイド部材４０と係合してスライドカバー２０のスライドを案内するカバー側ガイド部材３０が形成される。また、カバー側ガイド部材３０は、スライドカバーのストローク量に応じた長さを有し、本体側ガイド部材４０は、カバー側ガイド部材３０よりも短くされるとともに、スライドカバー２０の位置に拘わらずスライドカバー２０により覆われる位置に配置される。
請求項２の発明は、カバー側ガイド部材３０が、スライドカバー２０の移動方向に延在しカメラの上方向および下方向にそれぞれ突出する上下一対の凸部３１を有し、本体側ガイド部材４０が、カメラの上方向および下方向にそれぞれ凹で、凸部３１にそれぞれ摺動可能に係合される上下一対のの凹部４１を有するものである。
請求項３の発明は、カバー側ガイド部材３０の凸部３１とスライドカバー２０との連結部３２とを一体成形により形成したものである。
請求項４の発明は、本体側およびカバー側ガイド部材３０，４０が、スライドカバー２０のカメラ本体前面または背面から浮き上がる方向の移動を規制すべく互いに当接する当接部を有するものである。
請求項５の発明は、カバー側ガイド部材３０のカバースライド方向両端を溶接によってスライドカバー２０に固着したものである。
【０００５】
なお、本発明の構成を説明する上記課題を解決するための手段の項では、本発明を分かり易くするために実施の形態の図を用いたが、これにより本発明が実施の形態に限定されるものではない。
【０００６】
【発明の実施の形態】
図１〜図１１により本発明の一実施の形態を説明する。
図１は本発明に係るカメラの分解斜視図である。カメラ本体１０の前面には撮影レンズが露出するレンズ窓１１Ａ，測距用窓１１Ｂ，ファインダ対物窓・ＡＦ補助光窓１１Ｃが設けられるとともに、上面にはレリーズボタン１２が、また背面には、図４に示すように表示装置１３や各種ボタン類１４がそれぞれ設けられる。カメラ本体１０の一端側には、カバー部材５０およびグリップ部材６０が取り付けられる。
【０００７】
スライドカバー２０は、金属製の筒状の外カバー２１と、プラスチックモールドにより成形された内カバー２２とから構成され、図２に示す閉位置と、図３に示す開位置との間でカメラ本体１０に対してカメラ横方向（Ａ−Ｂ方向）にスライド移動可能とされる。外カバー２１の前板部２１Ａには閃光器の発光窓２１ａが形成されるとともに、後板部２１Ｂの内面にはスライドガイド部材３０が取り付けられる。ガイド部材３０は、図４，図５，図７に示すように、スライドカバー２０のストローク量に応じた長さの上下一対の凸部３１を有し、これらの凸部３１と一体成形された取付部３２が後板部２１Ｂの内面に溶接により固着される。溶接部分はガイド部材３０の両端の２箇所（図４に溶接スポットを符号２０４で示す）であり、溶接箇所を少なくすることによりガイド部材３０の変形が防止でき平面性を確保することができる。平面性が悪いとガイド部材４０が凸部３１をくわえて移動する際に作動が悪くなるが、本実施の形態では平面性が確保できるためにスムーズに動作させることができる。
【０００８】
一方、図４，図６，図７に示すように、カメラ本体１０の背面中央部には、外カバー２１のガイド部材３０と係合するガイド部材４０が取り付けられている。ガイド部材４０は、金属板の上下部分を折り曲げて形成された上下一対の凹部４１を有し、この凹部４１にガイド部材３０の上下凸部３１が摺動可能に係合される。ガイド部材４０のカメラ横方向の長さは、ガイド部材３０の長さよりも十分短くされる。したがって、ガイド部材３０が多少変形してもスライドカバー２０をスムーズにスライドさせることができる。
【０００９】
内カバー２２の一端側に設けられた凹部２２ｂには、閃光器ＳＢ（図７）が取り付けられ、その照射光は外カバー２１の窓部２１ａを通って被写体に照射される。内カバー２２には、カメラ前面側および背面側の面に上下２本ずつの溝２２ａが形成され、これらの溝２２ａに挿通される４本のガイドピンＢＳ，ＢＳ１がカメラ本体１０に螺合される。溝２２ａの閉方向（Ａ方向）端面がガイドピンＢＳ，ＢＳ１の頭部に当接することにより、スライドカバー２０の開方向（Ｂ方向）の移動が規制される。また内カバー２２の閉方向端部には、外カバー２１の閉方向端面を覆う被覆部２２Ａが一体成形により形成されている。さらに図４にＣ，Ｄで示すように内カバー２２の上下面は、その閉方向端部から開方向端部にかけてカメラ本体の上下方向中心軸に近づくよう傾斜しており、また内カバー２２の前後面は、その閉方向端部から開方向端部にかけてカメラ本体の厚さ方向中心軸に近づくよう傾斜している。これにより内カバー２２の型成形を可能にしている。
【００１０】
本実施の形態のカメラは、スライドカバー２０を開位置および閉位置の双方で固定するためのクリック機構を有している。すなわち図１０に示すように、カメラ本体１０の背面には、カメラ上下方向中央部にクリックボール７１が配設され、このクリックボール７１は、ガイド部材４０の孔を貫通してばね５１によりカメラ後方に付勢されている。一方、スライドカバー側のガイド部材３０には、左右方向の２箇所に矩形の孔３０Ａ，３０Ｂが形成され、これらの孔３０Ａにクリックボール７１が落ち込むようになっている。また図３，図１１に示すように、カメラ本体１０の前面側には、スライドカバー２０の開方向制限を構成するガイドピンＢＳ１の頭部に、ばね８１を介してクリックボール７２が配設されている。一方、スライドカバー２０を構成する外カバー２１の前板２１Ａには、その内面上部に板部材９１が固着され、その左右２箇所に設けられた孔９１ａ，９１ｂにクリックボール７２が落ち込むようになっている。さらにカメラ本体１０の前面下部には、ばね性のある板部材７３が配置され、その一端側（図３における右側）が固着されるとともに、他端側には突部７３ａが形成されている。前板２１Ａの内面下部には、左右２箇所の孔９２ａ，９２ｂを有する板部材９２が固着され、各孔９２ａ，９２ｂに板部材７３の突部７３ａが係合可能とされている。
【００１１】
なお図３において、１０１は電源スイッチ、１０２は閃光器発光用のメインコンデンサ、１０３は閃光器の発光回路に電源や発光信号を供給するためのフレキシブルプリント基板である。電源スイッチ１０１は、スライドカバー２０が閉位置にあるときにはオフし、開位置にスライドされるとオンする。また図４において、２０１はファインダの視度調整レバー、２０２はズームレバー、２０３は突条にて構成されるスライドカバー受けである。スライドカバー受け２０３は、スライドされるスライドカバー２０の内面を受けることにより、カメラ背面の他の部分にカバー２０が当接して傷つけるのを防止する。
【００１２】
カメラ本体１０にスライドカバー２０を組み付ける際の手順を以下に説明する。
まず、スライドカバー２０の内カバー２２を単体の状態でカメラ本体１０のＢ方向端部に外挿する。その際、プラスチック製の内カバー２２を適宜弾性変形させることによりカメラ表面の凸部分（例えばガイド部材４０）を乗り越えさせるとともに、４本のガイドピンＢＳの頭部が内カバー２２の４本の溝２２ａに挿入されるようにする。ガイド部材４０は内カバー２２の窓部２２ｃ（図１）から露出させる。次いで、外カバー２１のガイド部材３０とカメラ本体１０のガイド部材４０との位置が合うように外カバー２１を位置決めし、ガイド部材３０の上下凸部３１をガイド部材４０の上下凹部４１に挿通させつつ外カバー２１を内カバー２２に被せてゆく。その際、外カバー２１の閉方向側の開口に内カバー２２が開方向から挿通されることになるが、内カバー２２の外面が閉方向端部から開方向端部にかけてカメラ本体の中心に近づくよう傾斜しているので、外カバー２１を内カバーに被せる作業が容易に行える。図８に示すように外カバー２１の閉方向端面を内カバー２２の被覆部２２Ａに挿入した後、外および内カバー２１，２２の開方向端面に形成した取付孔にビスＢＳ２（図９）を螺合して両カバーを固定する。
【００１３】
以上のように構成されたカメラにおいて、スライドカバー２０が図２の閉位置にあるときには、その閉方向端部がカメラ本体１０の当接部に当接して閉方向の移動が規制され、またカメラ本体１０側のガイド部材４０はカバー２０側のガイド部材３０の開方向端部に位置している。このとき、スライドカバー２０の前面部２１Ａにより撮影レンズやファインダ対物窓１１Ｂ，測距用窓１１Ｃが覆われるとともに、後面部２１Ｂにより液晶表示装置１３や各種操作ボタン１４が覆われる。また、クリックボール７１，７２は孔３０Ａ，９１ａにそれぞれ落ち込んでおり、板部材７３の突部７３ａは孔９２ａに係合されている。これら３つのクリック機構によりスライドカバー２０は閉位置で固定され、スライドカバー２０の各方向のガタが防止される。主にカメラ上下方向のガタはカメラ前面側の２つのクリック機構により防止され、前後方向のガタは３つのクリック機構により防止される。
【００１４】
スライドカバー２０に開方向の力を加えると、クリックボール７１，７２および板部材７３の突部７３ａが各ばね力に抗して退避し、ガイド部材３０がガイド部材４０内を摺動することによりスライドカバー２０の移動が案内され、スライドカバー２０は開方向に移動する。図３，図４に示すように、スライドカバー２０が開位置に達すると、内カバー２２の４本の溝２２ａの端部がカメラ本体１０の４つのガイドピンＢＳ，ＢＳ１に当接し、スライドカバー２０の開方向の移動が阻止される。このとき、クリックボール７１，７２は孔３０Ｂ，９１ｂにそれぞれ落ち込み、板部材７３の突部７３ａは孔９２ｂに係合される。したがって、スライドカバー２０は開位置で固定されるとともに、上述と同様にスライドカバー２０の各方向のガタが防止される。
【００１５】
スライドカバー２０が開位置にあるときには、撮影レンズ，ファインダ対物窓１１Ｃ，測距用窓１１Ｂ，液晶表示装置１３および各種操作ボタン１４が外部に露出し、撮影可能な状態となる。図４に示すようにガイド部材４０はガイド部材３０の閉方向端部に位置しているが、スライドカバー２０に覆われたままであり、外部に露出することはない。またガイド部材３０は、スライドカバー２０のストローク量に応じた長さを有しているが、スライドカバー２０の内面に設けられているためカバー２０の位置に拘わらず外部に露出することはない。したがって、ガイド部材３０，４０を設けたことによってカメラの見栄えを損なうことはない。さらに本体側のガイド部材４０は寸法を十分短くできるので、背面側の表示装置やスイッチ類の配置に何ら制約を与えることがない。
【００１６】
また本実施の形態では、ガイド部材３０，４０からなるガイド機構ををカメラ上下方向の中央部分に設けたので、１組のガイド機構で対応できる。これは、ガイド機構をカメラ背面側に配置したことによって可能な構成である。因みにカメラ前面側にガイド機構を設けると、前面中央に撮影レンズが位置するためにガイド機構を中央に配置することができず、撮影レンズを挟んだ上下２箇所にガイド機構を設ける必要がある（上下いずれかのみであるとガタが発生する）。中央部１箇所にのみガイド機構を設ける構成では、上下部分にガイド機構を設けずに済むから、カメラ上下部分の厚さを薄くできるという効果がある。本実施の形態のカメラも、図７から分かるようにスライドカバー２０はガイド機構が設けられる中央部分が最も厚く、上下に至るほど薄くなっている。一般にカメラ中央部分の厚さがある程度厚くても上下部分が薄ければカメラは薄く見えるものであり、これにより美観の向上が図れる。
【００１７】
スライドカバー２０にカメラ前後方向の力が加わると、カバー側ガイド部材３０の凸部３１が本体側ガイド部材４０の凹部４１の壁面に当接することにより、スライドカバー２０のカメラ本体前面または背面から浮き上がる方向の移動が規制され、これによりカバー２０の前後方向のガタが防止できる。また図７に示すように、カメラ本体１０を構成する板部材７５の上下端部には、スライドカバーの板部材９１，９２（クリック用の溝を有する）の突出部９１ｃ，９２ｃが当接可能とされ、これらの当接によってもスライドカバー２０の前方への浮き上がりを防止できる。
【００１８】
さらに、図８に示すように金属製の外カバー２１の閉方向端面が内カバー２２の被覆部２２Ａに覆い隠されているので、見場が悪化することがない。特に被覆部２２Ａに形成された凹部に外カバー端部が挿通される構成なので、単にプラスチック部材を外カバー端面に当てる構成と異なり、矢印方向に力が加わっても被覆部２２Ａが剥がれてカバー端部が露出することがない。また被覆部２２Ａがスライドカバー２０の開方向制限を構成する内カバー２２に形成されているので、部品点数の低減および組立作業効率の向上が図れる。
【００１９】
なお以上では、カバー側のガイド部材３０がスライドカバーのストローク量に応じた長さを有し、本体側のガイド部材４０がそれよりも短くされているが、その逆でもよい。また、カバー側ガイド部材３０に凹部を形成し、本体側ガイド部材４０に凸部を形成して両者を係合させてもよい。さらに外カバー２１を金属としたが、金属以外の材料（例えばプラスチック）で構成してもよい。
【００２０】
【発明の効果】
本発明によれば、カメラ背面側の上下方向略中央部にスライドカバーのガイド機構（本体側ガイド部材とカバー側ガイド部材から成る）を設けたので、カメラ上下部分の厚さを薄くでき、カメラを小さく見せて美観の向上が図れる。
カバー側ガイド部材（カバー内面に設けられる））の長さをスライドカバーのストローク量に応じた長さとすれば、本体側ガイド部材の長さを最小限に短くでき、カバーの開閉状態に拘わらず本体側ガイド部材が外部に露出することがなく、更なる美観の向上が図れる。本体側およびカバー側ガイド部材に、スライドカバーのカメラ本体前面または背面から浮き上がる方向の移動を規制するための当接部を設ければ、スライドカバーのカメラ前後方向のガタを抑えられる。
【図面の簡単な説明】
【図１】本発明の一実施の形態に係るカメラの分解斜視図。
【図２】上記カメラの正面図であり、スライドカバーが閉位置にある状態を示す。
【図３】図２と同様の図であり、スライドカバーが開位置にある状態を示す。
【図４】カメラの背面図であり、スライドカバーが開位置にある状態を示す。
【図５】スライドカバーの閉方向端部を示す斜視図。
【図６】カメラ本体の一端側を示す斜視図。
【図７】カメラの側面断面図。
【図８】スライドカバーの閉方向端部を示す断面図。
【図９】スライドカバーのカメラ本体へを装着方法を説明する斜視図。
【図１０】クリック機構の詳細を示す断面図。
【図１１】他のクリック機構の詳細を示す断面図。
【符号の説明】
１０  カメラ本体
２０  スライドカバー
２１  外カバー
２１Ａ  前板
２１Ｂ  後板
２２  内カバー
２２Ａ  被覆部
２２ａ  溝
３０  カバー側ガイド部材
３０Ａ，３０Ｂ  孔
３１  凸部
４０  本体側ガイド部材
４１  凹部
７１，７２  クリックボール
７３  板部材
８１  ばね
９１，９２  板部材
９１ａ，９１ｂ，９２ａ，９２ｂ  孔
ＢＳ，ＢＳ１  ガイドピン
【図１】
0004214578.tif 000002
【図２】
0004214578.tif 000003
【図３】
0004214578.tif 000004
【図４】
0004214578.tif 000005
【図５】
0004214578.tif 000006
【図６】
0004214578.tif 000007
【図７】
0004214578.tif 000008
【図８】
0004214578.tif 000009
【図９】
0004214578.tif 000010
【図１０】
0004214578.tif 000011
【図１１】
0004214578.tif 000012